(57)【要約】【課題】組電池の一部から電源用の電圧を取得する場合でも、電池間で電圧が不均一とならないようにする。【解決手段】電池監視装置（ＣＭＵ：Cell  Monitoring Unit）１は、組電池２を構成する複数の電池Ｂ１〜Ｂ１２の各電圧を監視する電圧監視部１２と、組電池２から電圧を取得して低電圧の電源電圧を生成し、当該電源電圧を温度計測回路１５へ供給する低電圧電源回路１４とを備えている。組電池２は、電池Ｂ１〜Ｂ６からなる第１ブロック２１と、電池Ｂ７〜Ｂ１２からなる第２ブロック２２との直列回路から構成される。低電圧電源回路１４は、第２ブロック２２の両端から電圧を取得する。また、第１ブロック２１の両端から電圧を取得して、低電圧電源回路１４および温度計測回路１５で消費される電力に相当する電力を消費する電力消費回路１６が設けられる。【選択図】図１
2014158345.tif 000002
【特許請求の範囲】
【請求項１】
組電池を構成する複数の電池の各電圧を監視する電圧監視部と、
前記組電池から電圧を取得して低電圧の電源電圧を生成し、当該電源電圧を負荷へ供給する電源回路と、を備えた組電池の電圧監視装置において、
前記組電池は、複数または単数の電池からなる第１ブロックと、複数または単数の電池からなる第２ブロックとの直列回路から構成され、
前記電源回路は、前記第２ブロックの両端から電圧を取得し、
前記第１ブロックの両端から電圧を取得して、前記電源回路および前記負荷で消費される電力に相当する電力を消費する電力消費回路を設けたことを特徴とする組電池の電圧監視装置。
【請求項２】
請求項１に記載の組電池の電圧監視装置において、
前記電力消費回路は、オン・オフ動作を行うスイッチング素子と、このスイッチング素子に直列接続された電力消費用の抵抗とを含み、
前記電圧監視部は、前記電源回路および前記負荷で消費される電力に応じたデューティを有するＰＷＭ信号を生成し、当該ＰＷＭ信号により前記スイッチング素子を駆動することを特徴とする組電池の電圧監視装置。
【請求項３】
請求項２に記載の組電池の電圧監視装置において、
前記電圧監視部は、
前記負荷に流れる電流を検出し、検出した電流に基づいて、前記電源回路および前記負荷で消費される電力に応じた前記ＰＷＭ信号のデューティを演算する演算制御回路を含むことを特徴とする組電池の電圧監視装置。
【請求項４】
請求項２に記載の組電池の電圧監視装置において、
前記電圧監視部は、
前記第１ブロックの両端の電圧である第１電圧を検出する第１電圧検出回路と、
前記第２ブロックの両端の電圧である第２電圧を検出する第２電圧検出回路と、
前記第１電圧と前記第２電圧との比較結果に基づいて、前記電源回路および前記負荷で消費される電力に応じた前記ＰＷＭ信号のデューティを演算する演算制御回路と、
を含むことを特徴とする組電池の電圧監視装置。
【請求項５】
請求項４に記載の組電池の電圧監視装置において、
前記電圧監視部は、
前記第１電圧が前記第２電圧を超えるか否かを判定し、
前記第１電圧が前記第２電圧を超える場合は、前記演算制御回路で演算されたデューティを有するＰＷＭ信号により、前記スイッチング素子を駆動し、
前記第１電圧が前記第２電圧を超えない場合は、前記スイッチング素子を駆動しないことを特徴とする組電池の電圧監視装置。
【発明の詳細な説明】
【技術分野】
【０００１】
本発明は、複数の二次電池から構成される組電池の電圧を監視する装置に関する。
【背景技術】
【０００２】
例えば電気自動車においては、走行用モータや車載機器を駆動するための高電圧バッテリが搭載される。この高電圧バッテリは、一般に、リチウムイオン電池などの二次電池を複数個直列に接続した、いわゆる組電池から構成される。このような組電池には、電池の充放電制御を行うために各電池の電圧や温度などを監視する電池監視装置（ＣＭＵ：Cell Monitoring Unit）が設けられる（特許文献１、２参照）。また、組電池を構成する個々の電池に対して、電圧の高い電池を優先的に放電させることで電池間の電圧のばらつきを是正する放電回路が設けられる（特許文献３参照）。
【０００３】
特許文献１の電池電圧監視装置では、組電池を構成する電池を複数のブロックにグループ化し、各ブロックに対応して各電池の電圧や電流を検出する監視ＩＣを設け、各監視ＩＣは、監視対象の電池で構成されるブロックから動作電源を取得するようにしている。
【０００４】
特許文献２の車両用電源装置では、走行用バッテリを複数の電池ブロックに分割して、それぞれの電池ブロックの電圧を検出する複数の電圧検出回路を設け、各電圧検出回路をそれぞれの電池ブロックから供給される電力で動作させるようにしている。
【０００５】
特許文献３の組電池充電装置では、スイッチング素子を有する放電回路（バイパス回路）を組電池の各電池に並列接続し、電圧検出手段が検出した充電時における各電池の電圧のうち、最も低い電圧と他の各電池の電圧との電圧差が所定値を越えた電池について、放電回路を導通させて放電を行うようにしている。
【先行技術文献】
【特許文献】
【０００６】
【特許文献１】特開２０１１−１８２５５０号公報
【特許文献２】特開２０１０−８１６９２号公報
【特許文献３】特開平８−１９１８８号公報
【発明の概要】
【発明が解決しようとする課題】
【０００７】
特許文献１〜３においては、組電池に接続されている電圧検出部により、各電池の電圧が検出される。そして、電圧検出部に電源を供給する電源回路は、監視対象の組電池の両端から電圧を取得している。このとき、組電池の両端電圧は高電圧であることから、電源回路では、低電圧の電源電圧を生成するために、高電圧を降圧しなければならない。このため、高電圧を低電圧に変換するＤＣ−ＤＣコンバータなどの回路が必要となり、電源回路の構成が複雑になる。
【０００８】
そこで、組電池全体から電圧を取得するのではなく、組電池の一部から、電源回路に必要な電圧を取得することが考えられる。これによると、電源回路の入力電圧が低くなるので、ＤＣ−ＤＣコンバータなどの複雑な回路が不要となる。
【０００９】
しかしながら、組電池の一部から電圧を取得する場合、電圧取得対象となった電池は、電圧取得対象とならなかった電池と比較して、電源回路や負荷への電力供給による電力消費のために、電池電圧が低下する。すなわち、組電池を構成する電池間で、電圧が不均一になる。
【００１０】
本発明の課題は、組電池の一部から電源用の電圧を取得する場合でも、電池間で電圧が不均一とならないようにした組電池の監視装置を提供することにある。
【課題を解決するための手段】
【００１１】
本発明に係る組電池の電圧監視装置は、組電池を構成する複数の電池の各電圧を監視する電圧監視部と、組電池から電圧を取得して低電圧の電源電圧を生成し、当該電源電圧を負荷へ供給する電源回路とを備えている。組電池は、複数または単数の電池からなる第１ブロックと、複数または単数の電池からなる第２ブロックとの直列回路から構成される。電源回路は、第２ブロックの両端から電圧を取得する。また、第１ブロックの両端から電圧を取得して、電源回路および負荷で消費される電力に相当する電力を消費する電力消費回路が設けられる。
【００１２】
このようにすると、電源回路は、組電池の一部である第２ブロックから電圧を取得するので、電源回路の入力電圧は、組電池全体の電圧と比べて低い電圧となる。このため、高電圧を低電圧に変換するＤＣ−ＤＣコンバータなどの回路が不要となり、電源回路の構成が簡略化される。また、電源用の電圧が取得されない第１ブロックについては、電源回路や負荷での消費電力に相当する電力を消費する電力消費回路を設けたので、第１ブロックの電池と第２ブロックの電池により消費されるそれぞれの電力が同等になる。これにより、組電池を構成する電池間で電圧が不均一になるのを抑制することができる。
【００１３】
本発明において、電力消費回路は、オン・オフ動作を行うスイッチング素子と、このスイッチング素子に直列接続された電力消費用の抵抗とを含んでいてもよい。この場合、電圧監視部は、電源回路および負荷で消費される電力に応じたデューティを有するＰＷＭ（Pulse Width Modulation：パルス幅変調）信号を生成し、このＰＷＭ信号によりスイッチング素子を駆動することができる。
【００１４】
本発明において、電圧監視部は、負荷に流れる電流を検出し、検出した電流に基づいて、電源回路および負荷で消費される電力に応じたＰＷＭ信号のデューティを演算する演算制御回路を含んでいてもよい。
【００１５】
本発明において、電圧監視部は、組電池の第１ブロックの両端電圧である第１電圧を検出する第１電圧検出回路と、組電池の第２ブロックの両端電圧である第２電圧を検出する第２電圧検出回路と、第１電圧と第２電圧との比較結果に基づいて、電源回路および負荷で消費される電力に応じたＰＷＭ信号のデューティを演算する演算制御回路とを含んでいてもよい。
【００１６】
この場合、電圧監視部は、第１電圧が第２電圧を超えるか否かを判定し、  第１電圧が第２電圧を超える場合は、演算制御回路で演算されたデューティを有するＰＷＭ信号により、スイッチング素子を駆動し、第１電圧が第２電圧を超えない場合は、スイッチング素子を駆動しないようにしてもよい。
【発明の効果】
【００１７】
本発明によれば、組電池の一部から電源用の電圧を取得する場合でも、電池間で電池電圧が不均一とならないようにすることができる。
【図面の簡単な説明】
【００１８】
【図１】本発明の第１実施形態を示したブロック図である。
【図２】バランサ回路の具体例を示した図である。
【図３】低電圧電源回路の具体例を示した図である。
【図４】温度計測回路の具体例を示した図である。
【図５】低電圧電源回路の電圧取得ルートを示した図である。
【図６】電力消費回路の電圧取得ルートを示した図である。
【図７】本発明の第２実施形態を示したブロック図である。
【図８】第２実施形態の動作を示すフローチャートである。
【発明を実施するための形態】
【００１９】
本発明の実施形態につき、図面を参照しながら説明する。以下では、本発明を電気自動車に搭載される組電池に適用した場合を例に挙げる。
【００２０】
まず、図１を参照して、第１実施形態の構成について説明する。図１において、直列に接続された複数の電池Ｂ１〜Ｂ１２によって、組電池２が構成されている。組電池２は、電気自動車のモータや車載機器を駆動するための高電圧バッテリである。組電池２を構成する各電池Ｂ１〜Ｂ１２は、リチウムイオン電池や鉛蓄電池のような二次電池からなり、図示しない充電装置によって充電される。電池Ｂ１〜Ｂ６は第１ブロック２１を構成し、電池Ｂ７〜Ｂ１２は第２ブロック２２を構成している。したがって、組電池２は、第１ブロック２１と第２ブロック２２との直列回路から構成されている。
【００２１】
電池監視装置（ＣＭＵ：Cell  Monitoring Unit）１は、車両に搭載され、組電池２の電圧や温度などを監視する装置である。電池監視装置１には、バランサ回路１１、電圧監視部１２、低電圧電源回路１４、温度計測回路１５、および電力消費回路１６が備わっている。これらの各要素は、１枚の回路基板に実装されている。電池監視装置１は、本発明に係る組電池の電圧監視装置を構成している。
【００２２】
電圧監視部１２は、マイクロコンピュータからなり、組電池２を構成する複数の電池Ｂ１〜Ｂ１２の各電圧を監視する。このため、各電池の正極および負極が、後述するバランサ回路１１を介して、電圧監視部１２に接続されている。また、電圧監視部１２は、組電池２全体の総電圧も監視する。このため、電池Ｂ１の正極が、バランサ回路１１およびラインＬ１、Ｌ３を介して、電圧監視部１２に接続されるとともに、電池Ｂ１２の負極が、バランサ回路１１およびラインＬ４、Ｌ５を介して、電圧監視部１２に接続されている。電圧監視部１２には、ＣＰＵから構成される演算制御回路１３が備わっている。電圧監視部１２は、図示しない上位装置との間で通信を行う。
【００２３】
バランサ回路１１は、組電池２を構成する各電池Ｂ１〜Ｂ１２の放電容量のばらつきに起因する、電池間の電圧不均一を是正するための回路である。図２に示すように、バランサ回路１１は、各電池Ｂ１、Ｂ２、Ｂ３…に対応して設けられた、複数の放電回路１１ａ、１１ｂ、１１ｃ…から構成される。各放電回路の構成は同一であるので、以下では放電回路１１ａについて説明する。
【００２４】
放電回路１１ａは、スイッチング素子Ｑ２、および抵抗Ｒ３〜Ｒ５から構成される公知の回路である。スイッチング素子Ｑ２は、例えばＦＥＴ（電界効果トランジスタ）からなる。スイッチング素子Ｑ２のドレインには、放電用の抵抗Ｒ３の一端が接続されており、抵抗Ｒ３の他端は、電池Ｂ１の正極に接続されている。スイッチング素子Ｑ２のソースは、電池Ｂ１の負極に接続されている。これにより、電池Ｂ１の正極から、抵抗Ｒ３およびスイッチング素子Ｑ２を経由して、電池Ｂ１の負極へ至る放電経路が形成される。スイッチング素子Ｑ２のゲートには、電圧監視部１２から抵抗Ｒ４、Ｒ５を介して、パルス信号からなる制御信号が与えられる。スイッチング素子Ｑ２は、この制御信号に応じて、オン・オフ動作を行う。放電回路１１ａによる電圧均一化の詳細については、後述する。
【００２５】
図１に戻り、低電圧電源回路１４は、組電池２の一部から電圧を取得して低電圧を出力する回路である。低電圧電源回路１４の一方の入力端子（＋端子）は、ラインＬ２およびバランサ回路１１を介して、第２ブロック２２の電池Ｂ７の正極に接続されている。また、低電圧電源回路１４の他方の入力端子（−端子）は、ラインＬ４およびバランサ回路１１を介して、第２ブロック２２の電池Ｂ１２の負極に接続されている。これにより、低電圧電源回路１４は、図５に太線で示すようなルートで、組電池２の第２ブロック２２の両端から電圧を取得する。低電圧電源回路１４は、第２ブロック２２から取得した電圧に基づいて低電圧の電源電圧（例えば５〔Ｖ〕）を生成し、この電源電圧を負荷である温度計測回路１５へ供給する。
【００２６】
図３は、低電圧電源回路１４の一例を示している。低電圧電源回路１４は、スイッチング素子Ｑ３、抵抗Ｒ６〜Ｒ９、および定電圧素子Ｚから構成される公知の回路である。スイッチング素子Ｑ３はバイポーラ型のトランジスタからなり、定電圧素子Ｚはツェナーダイオードと同等の機能を持ったシャント・リファレンスＩＣからなる。定電圧素子Ｚの出力電圧と、抵抗Ｒ８および抵抗Ｒ９とによって決まる低電圧Ｖｃが、低電圧電源回路１４から出力され、温度計測回路１５へ電源電圧として供給される。
【００２７】
温度計測回路１５は、組電池２の温度を計測する回路である。温度計測回路１５には、図４に示すように、温度検出用のサーミスタＴｈと、電流検出用のシャント抵抗Ｒｓとが備わっている。サーミスタＴｈは、温度が高くなると抵抗値が減少し、温度が低くなると抵抗値が増加する特性を有している。サーミスタＴｈと抵抗Ｒｓは、低電圧電源回路１４から供給される電源間に、直列に接続されている。そして、サーミスタＴｈとシャント抵抗Ｒｓの接続点の電圧Ｖｓは、図１に示すように、電圧監視部１２に与えられる。
【００２８】
電力消費回路１６は、本発明の特徴をなす回路であって、スイッチング素子Ｑ１、抵抗Ｒ１、および抵抗Ｒ２から構成される。スイッチング素子Ｑ１は、例えばＦＥＴ（電界効果トランジスタ）からなる。スイッチング素子Ｑ１のドレインには、電力消費用の抵抗Ｒ１の一端が接続されており、抵抗Ｒ１の他端は、ラインＬ１およびバランサ回路１１を介して、組電池２の第１ブロック２１における電池Ｂ１の正極に接続されている。スイッチング素子Ｑ１のソースは、ラインＬ２およびバランサ回路１１を介して、組電池２の第１ブロック２１における電池Ｂ６の負極に接続されている。これにより、電力消費回路１６は、図６に太線で示すようなルートで、組電池２の第１ブロック２１の両端から電圧を取得する。スイッチング素子Ｑ１のゲートには、電圧監視部１２から抵抗Ｒ２を介してＰＷＭ（Pulse Width Modulation：パルス幅変調）信号が与えられる。スイッチング素子Ｑ１は、このＰＷＭ信号によりオン・オフ動作を行う。
【００２９】
次に、第１実施形態の動作について説明する。電池監視装置１において、電圧監視部１２は、電池Ｂ１〜Ｂ１２の各電圧を検出し、その検出結果に基づいて、バランサ回路１１を制御する。詳しくは、電圧監視部１２は、電圧の高い電池に対して、その電池に対応する放電回路１１ａ、１１ｂ、１１ｃ…（図２参照）のスイッチング素子Ｑ２をオンにし、当該放電回路を動作させることで、電池の放電を優先させる。また、電圧監視部１２は、電圧の低い電池に対して、その電池に対応する放電回路１１ａ、１１ｂ、１１ｃ…のスイッチング素子Ｑ２をオフにし、当該放電回路を非動作状態とすることで、電池の充電を優先させる。これによって、電圧の高い電池は放電により電圧が下がり、電圧の低い電池は充電により電圧が上がるので、各電池の電圧が均等化される。
【００３０】
低電圧電源回路１４が組電池２の全体から電圧を取得する場合は、組電池２を構成する電池Ｂ１〜Ｂ１２間の電圧不均一の程度が小さく、上記のようなバランサ回路１１による電圧均等化の処理を行えば足りる。しかしながら、本実施形態のように、低電圧電源回路１４が組電池２の一部である第２ブロック２２から電圧を取得する場合は、第１ブロック２１について何も対策を講じなければ、第２ブロック２２の電池Ｂ７〜Ｂ１２が、第１ブロック２１の電池Ｂ１〜Ｂ６よりも早く放電する。その結果、第１ブロック２１と第２ブロック２２との間の電圧不均一の程度が著しく拡大する。この場合は、もはやバランサ回路１１では対応できない。そこで、本発明では、バランサ回路１１による電池電圧の均等化とは別に、電力消費回路１６による電池電圧の均等化を行う。以下、この詳細について説明する。
【００３１】
電力消費回路１６では、電圧監視部１２から与えられるＰＷＭ信号によりスイッチング素子Ｑ１がオンしている間、第１ブロック２１から取得した電圧に基づいて、抵抗Ｒ１およびスイッチング素子Ｑ１を通って電流が流れる。この電流により、抵抗Ｒ１とスイッチング素子Ｑ１において、電力が消費される。この消費電力は、スイッチング素子Ｑ１のオン時間、すなわちＰＷＭ信号のデューティに応じて決まる。そこで、抵抗Ｒ１とスイッチング素子Ｑ１で消費される電力が、低電圧電源回路１４および温度計測回路１５で消費される電力に相当する電力となるように、ＰＷＭ信号のデューティが決定される。
【００３２】
詳しくは、電圧監視部１２は、温度計測回路１５のシャント抵抗Ｒｓ（図４）で検出された電圧Ｖｓを、一定周期毎に取得する。電圧監視部１２の演算制御回路１３は、取得された電圧Ｖｓに基づいて、温度計測回路１５に流れる電流Ｉｓを演算し、さらに、この電流Ｉｓによって低電圧電源回路１４と温度計測回路１５で消費される消費電力Ｐを演算する。そして、演算制御回路１３は、電力消費回路１６のスイッチング素子Ｑ１のオン時に流れる電流によって抵抗Ｒ１とスイッチング素子Ｑ１で消費される電力が、上記の消費電力Ｐと等しくなるように、ＰＷＭ信号のデューティを演算する。
【００３３】
このようにしてデューティが決定されると、電圧監視部１２は、当該デューティを有するＰＷＭ信号を生成して、電力消費回路１６のスイッチング素子Ｑ１のゲートへ出力する。スイッチング素子Ｑ１は、このＰＷＭ信号のデューティに応じた時間だけオンとなり、このオン期間に抵抗Ｒ１とスイッチング素子Ｑ１を通って電流が流れる。その結果、電力消費回路１６において、低電圧電源回路１４および温度計測回路１５で消費される電力に相当する電力が消費される。
【００３４】
なお、電圧監視部１２の演算制御回路１３は、温度計測回路１５から取得した電圧Ｖｓに基づいて、組電池２の温度も算出する。算出された温度は、電圧監視部１２から上位装置（図示省略）へ送られる。上位装置は、温度の値が異常の場合に、充電装置（図示省略）を制御して、組電池２への充電を停止するなどの処理を行う。
【００３５】
上述した第１実施形態によれば、低電圧電源回路１４は、組電池２の一部である第２ブロック２２から電圧を取得するので、低電圧電源回路１４の入力電圧は、組電池２全体の電圧と比べて低い電圧となる。このため、高電圧を低電圧に変換するＤＣ−ＤＣコンバータなどの回路が不要となり、低電圧電源回路１４の構成が簡略化される。また、電源用の電圧が取得されない第１ブロック２１については、低電圧電源回路１４や温度計測回路１５での消費電力に相当する電力を消費する電力消費回路１６を設けたので、第１ブロック２１の電池Ｂ１〜Ｂ６と、第２ブロック２２の電池Ｂ７〜Ｂ１２により消費されるそれぞれの電力が同等になる。これにより、組電池２を構成する電池間で電圧が不均一になるのを抑制することができる。
【００３６】
次に、本発明の第２実施形態について説明する。まず、第２実施形態の構成を、図７を参照して説明する。図７において、図１と同一の部分または対応する部分には、図１と同じ符号を付してある。
【００３７】
第２実施形態では、電圧監視部１２に、第１電圧検出回路１７、第２電圧検出回路１８、および演算制御回路１９が備わっている。第１電圧検出回路１７は、組電池２の第１ブロック２１の両端の電圧である第１電圧を検出する。第２電圧検出回路１８は、組電池２の第２ブロック２２の両端の電圧である第２電圧を検出する。演算制御回路１９は、第１電圧と第２電圧との比較結果に基づいて、低電圧電源回路１４および温度計測回路１５で消費される電力に応じたＰＷＭ信号のデューティを演算する（詳細は後述）。その他の構成については、図１の第１実施形態と同じである。
【００３８】
次に、第２実施形態の動作について説明する。バランサ回路１１の動作に関しては、第１実施形態と同じであるので説明を省略する。以下では、電力消費回路１６による電圧の均一化に関して、図８のフローチャートに基づき説明する。図８の各ステップは、電圧監視部１２によって一定周期毎に実行される。
【００３９】
ステップＳ１では、第１電圧検出回路１７により第１ブロック２１の電圧（第１電圧Ｖ１）を検出するとともに、第２電圧検出回路１８により第２ブロック２２の電圧（第２電圧Ｖ２）を検出する。
【００４０】
次に、ステップＳ２において、ステップＳ１で検出した第１電圧Ｖ１と第２電圧Ｖ２とを比較する。そして、続くステップＳ３において、第１電圧Ｖ１が第２電圧Ｖ２を超えているか否かを判定する。判定の結果、第１電圧Ｖ１が第２電圧Ｖ２を超えていれば（ステップＳ３；ＹＥＳ）、ステップＳ４へ進む。
【００４１】
ステップＳ４では、演算制御回路１９が、第１電圧Ｖ１と第２電圧Ｖ２との比較結果に基づいて、ＰＷＭ信号のデューティを算出する。詳しくは、演算制御回路１９は、第１電圧Ｖ１と第２電圧Ｖ２との差ΔＶ＝Ｖ１−Ｖ２を演算する。そして、この電圧差ΔＶに基づいて、低電圧電源回路１４および温度計測回路１５で消費される電力に相当する電力が電力消費回路１６で消費されるのに必要な、ＰＷＭ信号のデューティを算出する。電圧差ΔＶが大きいほど、電力消費回路１６で大きな電力を消費することが要求される。
【００４２】
ステップＳ５では、ステップＳ４で算出されたデューティを有するＰＷＭ信号が電圧監視部１２で生成され、このＰＷＭ信号によって電力消費回路１６のスイッチング素子Ｑ１を駆動する。
【００４３】
一方、ステップＳ３での判定の結果、第１電圧Ｖ１が第２電圧Ｖ２を超えていなければ（ステップＳ３；ＮＯ）、ステップＳ４〜Ｓ５を実行することなく、処理を終了する。この場合、第１電圧Ｖ１と第２電圧Ｖ２とが等しければ、第１ブロック２１と第２ブロック２２との間で、電圧が均等化されているので、電力消費回路１６を駆動する必要がない。また、第１電圧Ｖ１が第２電圧Ｖ２より小さければ、低電圧電源回路１４や温度計測回路１５での電力消費により、第２ブロック２２の第２電圧Ｖ２は減少を続けて、やがて第１ブロック２１の第１電圧Ｖ１と等しくなるので、電力消費回路１６を駆動する必要がない。したがって、いずれの場合も、電力消費回路１６のスイッチング素子Ｑ１は駆動されない。
【００４４】
上述した第２実施形態によれば、第１実施形態と同様に、低電圧電源回路１４は、組電池２の一部である第２ブロック２２から電圧を取得するので、低電圧電源回路１４の入力電圧は、組電池２全体の電圧と比べて低い電圧となる。このため、高電圧を低電圧に変換するＤＣ−ＤＣコンバータなどの回路が不要となり、低電圧電源回路１４の構成が簡略化される。また、電源用の電圧が取得されない第１ブロック２１については、低電圧電源回路１４や温度計測回路１５での消費電力に相当する電力を消費する電力消費回路１６を設けたので、第１ブロック２１の電池Ｂ１〜Ｂ６と、第２ブロック２２の電池Ｂ７〜Ｂ１２により消費されるそれぞれの電力が同等になる。これにより、組電池２を構成する電池間で電圧が不均一になるのを抑制することができる。
【００４５】
本発明では、以上述べた以外にも種々の実施形態を採用することができる。例えば、前記の各実施形態では、組電池２の第１ブロック２１の電池数と、第２ブロック２２の電池数とを同じ（共に６個）としたが、各ブロック２１、２２の電池の数は異なっていてもよい。また、各ブロック２１、２２の電池の数は複数に限らず、単数（１個）であってもよい。
【００４６】
また、前記の各実施形態では、電力消費回路１６のスイッチング素子Ｑ１の駆動信号としてＰＷＭ信号を用いたが、スイッチング素子Ｑ１のオン・オフを制御する信号であれば、ＰＷＭ信号以外の駆動信号を用いてもよい。さらに、前記の各実施形態では、スイッチング素子Ｑ１としてＦＥＴを用いたが、ＦＥＴの代わりにトランジスタやリレーなどを用いてもよい。
【００４７】
また、前記の各実施形態では、低電圧電源回路１４の負荷として、温度計測回路１５を例に挙げたが、低電圧電源回路１４の負荷は、温度計測回路以外の負荷（例えば通信用ＩＣ）であってもよい。
【００４８】
また、前記の第２実施形態では、演算制御回路１９が、第１電圧と第２電圧との差に基づいてＰＷＭ信号のデューティを算出したが、第１電圧と第２電圧との比に基づいてＰＷＭ信号のデューティを算出してもよい。
【００４９】
さらに、前記の各実施形態では、本発明を電気自動車に搭載される組電池に適用した例を挙げたが、本発明は、電気自動車以外の用途に用いられる組電池にも適用することができる。
【符号の説明】
【００５０】
１    電池監視装置
２    組電池
１２  電圧監視部
１３  演算制御回路
１４  低電圧電源回路
１５  温度計測回路
１６  電力消費回路
１７  第１電圧検出回路
１８  第２電圧検出回路
１９  演算制御回路
２１  第１ブロック
２２  第２ブロック
Ｂ１〜Ｂ１２  電池
Ｒ１  抵抗
Ｑ１  スイッチング素子
【図１】
2014158345.tif 000003
【図２】
2014158345.tif 000004
【図３】
2014158345.tif 000005
【図４】
2014158345.tif 000006
【図５】
2014158345.tif 000007
【図６】
2014158345.tif 000008
【図７】
2014158345.tif 000009
【図８】
2014158345.tif 000010